(57)【要約】【課題】プレビュー画像における原稿画像データと付加画像の背景色の差を小さくすることを目的とする。【解決手段】画像形成装置が、表示部と、縮小処理を施した原稿画像データに縮小処理を施した付加画像を貼り付けたものをプレビュー画像として前記表示部に表示させる制御手段とを具備する画像形成装置であって、前記制御手段は、縮小処理の際に前記付加画像の背景色を原稿画像データの貼り付け箇所の背景色で置き換える。【選択図】図２
2011160085.tif 000002
【特許請求の範囲】
【請求項１】
表示部と、縮小処理を施した原稿画像データに縮小処理を施した付加画像を貼り付けたものをプレビュー画像として前記表示部に表示させる制御手段とを具備する画像形成装置であって、
前記制御手段は、縮小処理の際に前記付加画像の背景色を原稿画像データの貼り付け箇所の背景色で置き換えることを特徴とする画像形成装置。
【請求項２】
前記制御手段は、縮小後の付加画像の背景色を縮小後の前記原稿画像データ貼り付け箇所の背景色で１画素毎置き換えることを特徴とする請求項１に記載の画像形成装置。
【請求項３】
前記制御手段は、前記付加画像に含まれる図形の色を縮小前と縮小後で同じ色にすることを特徴とする請求項１または２に記載の画像形成装置。
【発明の詳細な説明】
【技術分野】
【０００１】
本発明は、画像形成装置に関する。
【背景技術】
【０００２】
現在、複合機及び複写機などの画像形成装置では、コピーの前に、そのコピーの仕上がり具合を確認できるように原稿画像から読み取った原稿画像データに基づいてプレビュー画像を表示部（タッチパネルなど）に表示するものが存在する。このような画像形成装置は、実際のコピー結果に挿入する付加画像を縮小したものを原稿画像データに貼り付け、それをプレビュー画像として表示する。例えば、付加画像として、「ページ番号付け」が設定されている場合のページ数がある。
【発明の概要】
【発明が解決しようとする課題】
【０００３】
ところで、上記従来技術では、縮小処理が施された付加画像が貼り付けられた原稿画像データがプレビュー画像として表示される。しかし、付加画像の背景色は、原稿画像データの背景色に基づくものではなく、付加画像に元々設定されている背景色である。このような付加画像が単純に縮小されて貼り付けられたプレビュー画像では、原稿画像データと付加画像の背景色の差が大きいと、実際のコピー結果よりも背景色の差が目立ってしまう。
【０００４】
本発明は、上述した事情に鑑みてなされたものであり、プレビュー画像における原稿画像データと付加画像の背景色の差を目立ちにくくすることを目的とする。
【課題を解決するための手段】
【０００５】
上記目的を達成するために、本発明では、画像形成装置に係る第１の解決手段として、表示部と、縮小処理を施した原稿画像データに縮小処理を施した付加画像を貼り付けたものをプレビュー画像として前記表示部に表示させる制御手段とを具備する画像形成装置であって、前記制御手段は、縮小処理の際に前記付加画像の背景色を原稿画像データの貼り付け箇所の背景色で置き換えるという手段を採用する。
【０００６】
本発明では、画像形成装置に係る第２の解決手段として、上記第１の解決手段において、前記制御手段は、縮小後の付加画像の背景色を縮小後の前記原稿画像データ貼り付け箇所の背景色で１画素毎置き換えるという手段を採用する。
【０００７】
本発明では、画像形成装置に係る第３の解決手段として、上記第１または第２の解決手段において、前記制御手段は、前記付加画像に含まれる図形の色を縮小前と縮小後で同じ色にするという手段を採用する。
【発明の効果】
【０００８】
本発明によれば、縮小処理の際に付加画像の背景色を付加画像の貼り付け先である原稿画像データの背景色で置き換える。これにより、プレビュー画像における原稿画像データと付加画像の背景色の差を目立ちにくくすることができる。
【図面の簡単な説明】
【０００９】
【図１】本発明の実施形態に係る複合機Ａの機能ブロック図である。
【図２】本発明の実施形態に係る複合機Ａの動作を示すフローチャートである。
【図３】本発明の実施形態に係る複合機Ａの付加画像の一例を示す図である。
【発明を実施するための形態】
【００１０】
以下、図面を参照して、本発明の一実施形態について説明する。
本実施形態に係る複合機（画像形成装置）Ａは、コピー機能、プリント機能、スキャン機能及びファクシミリ送信／受信機能を併せ持つ。複合機Ａは、図１に示すように、ＣＰＵ(Central Processing Unit)１、ＲＯＭ(Read Only Memory)２、ＲＡＭ(Random Access Memory)３、各種センサ群４、画像読取部５、画像データ記憶部６、用紙搬送／画像形成部７、通信Ｉ／Ｆ部８、操作表示部９を備えている。なお、上記ＣＰＵ１、ＲＯＭ２及びＲＡＭ３は、本実施形態における制御手段を構成する。
【００１１】
ＣＰＵ１は、ＲＯＭ２に記憶されている制御プログラム、各種センサ群４から受信する各種検出信号、画像データ記憶部６に記憶されている原稿画像データ、プリント画像データ及びファクシミリ画像データ、通信Ｉ／Ｆ部８を介して外部（クライアントコンピュータ及び公衆網など）から入力される各種指示並びに操作表示部９から入力される操作指示に基づいて複合機Ａの全体動作を制御する。なお、このＣＰＵ１の制御処理の詳細については、複合機Ａの動作として後述する。
【００１２】
ＲＯＭ２は、ＣＰＵ１で実行される制御プログラム及びその他のデータを記憶する不揮発性メモリである。また、このＲＯＭ２は、各種設定の設定値に応じて原稿画像データに貼り付ける付加画像を記憶している。例えば、付加画像として「ページ番号付け」設定の設定値が「ページ番号付け」である場合に原稿画像データに貼り付けられるページ数がある。
【００１３】
ＲＡＭ３は、ＣＰＵ１が制御プログラムを実行して各種動作を行う際に、データの一時保存先となるワーキングエリアとして用いられる揮発性メモリである。
各種センサ群４は、例えば、原稿セット検出センサ、用紙切れ検出センサ、用紙詰まり検出センサ、用紙位置検出センサ、温度センサ及び筐体（図示略）のカバー開閉検出センサなどの画像形成動作に必要な各種センサであり、それぞれのセンサで検出した各種の情報を検出信号としてＣＰＵ１に出力する。
【００１４】
画像読取部５は、ＡＤＦ（自動原稿送り装置）とＣＣＤ(Charge Coupled Device)センサなどを備え、ＣＰＵ１の制御指令の下でＡＤＦによって順次給紙される原稿の画像をＣＣＤセンサに読み取らせ、原稿画像に基づく原稿画像データをＣＰＵ１に出力する。一方、ＣＰＵ１は、原稿画像データを画像データ記憶部６に記憶させる。
画像データ記憶部６は、例えばフラッシュメモリまたはハードディスクであり、ＣＰＵ１の制御指令の下で原稿画像データ、通信Ｉ／Ｆ部８が外部から受信するプリント画像データ及びファクシミリ画像データを記憶する。
【００１５】
用紙搬送／画像形成部７は、プリントエンジン（感光ドラム、帯電器、現像装置及び定着ローラなど）、給紙ローラ及び排紙ローラなどを備える。この用紙搬送／画像形成部７は、ＣＰＵ１の制御指令の下で給紙トレイ（図示略）から画像形成用紙を給紙ローラで搬送し、画像データ記憶部６の画像データに基づく画像（トナーからなる画像）を画像形成用紙に転写するとともに定着させ、当該画像形成用紙を排紙ローラで排紙トレイ（図示略）に搬送する。
通信Ｉ／Ｆ部８は、外部のクライアントコンピュータ及び公衆網に接続し、このクライアントコンピュータ及び公衆網との間で各種信号の送受信を行う。
【００１６】
操作表示部９は、コピー機能切替キー、プリント機能切替キー、スキャン機能切替キー、ファクシミリ機能切替キー、スタートキー、ストップ／クリアキー、電源キー、テンキー（数値入力キー）、タッチパネル９ａ及びその他の各種操作キーを備えており、それぞれのキーの操作指示をＣＰＵ１に出力するとともに、ＣＰＵ１の制御の下、タッチパネル９ａにコピーのプレビュー画像等の種々の画面を表示する。
【００１７】
次に、上記構成の本実施形態に係る複合機Ａの複数機能設定動作について、図２を参照して説明する。
まず、複合機Ａにより原稿をコピーしようとするユーザは、画像読取部５のＡＤＦに原稿をセットする。そして、ユーザは、操作表示部９を操作することで、コピーの各種機能を設定し、設定が完了すると、操作表示部のスタートキーを押下することで複合機Ａにコピーを開始させる。
【００１８】
ＣＰＵ１は、操作表示部９がスタートキーの押下によるコピー開始指示を受け付けたか否か判定する（ステップＳ１）。ＣＰＵ１は、ステップＳ１において『ＮＯ』と判定した場合には、すなわち操作表示部９がコピー開始指示を受け付けていないと判定した場合には、操作表示部９が印刷指示を受け付けるまで待機する。
【００１９】
ＣＰＵ１は、ステップＳ１において『ＹＥＳ』と判定した場合には、すなわち操作表示部９がコピー開始指示を受け付けたと判定した場合には、ＡＤＦにセットされている原稿の原稿画像を画像読取部５に読み取らせる（ステップＳ２）。ＣＰＵ１は、画像読取部５によって生成された原稿画像データを画像データ記憶部６に記憶させ、当該原稿画像データからプレビュー画像サイズに縮小した原稿画像データを作成する（ステップＳ３）。
【００２０】
ＣＰＵ１は、ステップＳ３が終了すると、各種設定の設定値に応じてＲＯＭ２の付加画像からプレビュー画像サイズに縮小した付加画像を作成する（ステップＳ４）。ＣＰＵ１は、ステップＳ４の後に、縮小後の付加画像の文字及び図柄などの図形が載っていない背景部分の色を縮小後の原稿画像データの貼り付け箇所の背景色に１画素毎置き換える（ステップＳ５）。ＣＰＵ１は、ステップＳ５が終了すると、背景色を置き換えた縮小後の付加画像を縮小後の原稿画像データに貼り付け、付加画像の貼り付けられた原稿画像データをプレビュー画像としてタッチパネル９ａに表示させる（ステップＳ６）。
【００２１】
上記ステップＳ４〜Ｓ６について図３を参照して詳細に説明する。例えば、「ページ番号付け」設定の設定値が「ページ番号付け」であるとする。上記ステップＳ４において図３に示す付加画像ａｄをプレビュー画像サイズに縮小する。そして、この付加画像ａｄの背景色の所定の１画素が、例えば、ＲＧＢ（２５５，２５５，２５５）であり、原稿画像データｍｄの貼り付け箇所の背景色がＲＧＢ（２５０，２５０，２５０）であるとする。なお、上記ＲＧＢとは、１画素における光の三原色（Ｒ：レッド、Ｇ：グリーン、Ｂ：ブルー）の各輝度を示すものであり、色を表現している。なお、付加画像ａｄのＲＧＢ（２５５，２５５，２５５）とは、白色のことである。
【００２２】
そして、上記ステップＳ５において縮小後の付加画像ａｄの背景部分の１画素の色を縮小後の原稿画像データｍｄの１画素の色に置き換える。すなわち、付加画像のＲＧＢ（２５５，２５５，２５５）である１画素の色をＲＧＢ（２５０，２５０，２５０）に置き換える。ＣＰＵ１は、ステップＳ５において付加画像の背景部分の全ての画素の色の置き換えを実行する。
【００２３】
そして、ＣＰＵ１は、ステップＳ５が完了すると、ステップＳ６において背景色の置き換え後の付加画像ａｄを原稿画像データｍｄに貼り付け、当該原稿画像データｍｄをプレビュー画像としてタッチパネル９ａに表示させる。なお、ＣＰＵ１は、縮小処理において縮小後の付加画像ａｄに含まれる文字の色を、縮小前の文字色と周囲の色との平均から導き出した色にしている。例えば、縮小前がＲＧＢ（０，０，０）、すなわち黒色である場合に、周囲の背景色がＲＧＢ（２５５，２５５，２５５）、すなわち白色であるとすると、縮小後の付加画像の文字色は、グレーになる。
【００２４】
ＣＰＵ１は、ステップＳ６の後に、操作表示部９がコピー実行指示を受け付けると、画像データ記憶部６に記憶されている原稿画像データに基づいて用紙搬送／画像形成部７に画像形成を実行させる。
【００２５】
以上のように、本実施形態に係る複合機Ａでは、ＣＰＵ１が、操作表示部９のスタートキーが押下されると、画像読取部５に原稿画像から原稿画像データを作成させる。そして、ＣＰＵ１は、当該原稿画像データから縮小した原稿画像データを作成し、縮小後の原稿画像データをプレビュー画像としてタッチパネル９ａに表示させる。その際、ＣＰＵ１は、縮小した付加画像を各種設定の設定値に応じてプレビュー画像の原稿画像データに貼り付けるが、縮小後の付加画像の背景色を縮小後の原稿画像データの貼り付け箇所の背景色で１画素毎に置き換える。
【００２６】
そして、ＣＰＵ１は、置き換えが完了すると原稿画像データに当該付加画像を貼り付けた画像をプレビュー画像としてタッチパネル９ａに表示させる。このように、複合機Ａは、付加画像の背景色を原稿画像データの貼り付け箇所の背景色に置き換えるので、プレビュー画像における原稿画像データと付加画像の背景色の差を目立ちにくくすることができる。
【００２７】
以上、本発明の一実施形態について説明したが、本発明は上記実施形態に限定されることなく、例えば以下のような変形が考えられる。
（１）上記実施形態では、ＣＰＵ１は、縮小後の付加画像ａｄに含まれる文字の色を、縮小前の文字色と周囲の色との平均から導き出した色にしているが、本発明はこれに限定されない。
例えば、ＣＰＵ１は、前記付加画像に含まれる文字の色を縮小前と縮小後で同じ色にするようにしてもよい。具体的には、縮小前の付加画像の文字の色がＲＧＢ（０，０，０）、すなわち黒色である場合に、縮小後の付加画像の文字の色もＲＧＢ（０，０，０）にする。
【００２８】
（２）上記実施形態では、ＣＰＵ１は、縮小後の付加画像の背景色を縮小後の原稿画像データの貼り付け箇所の背景色で置き換えたが。本発明はｋれに限定されない。
例えば、ＣＰＵ１は、縮小前の付加画像の背景色を縮小前の原稿画像データの貼り付け箇所の背景色で置き換え、置き換え後に付加画像を縮小し、当該付加画像を縮小後の原稿画像データに貼り付けるようにしてもよい。
【符号の説明】
【００２９】
Ａ…複合機、１…ＣＰＵ（制御手段）、２…ＲＯＭ（制御手段）、３…ＲＡＭ（制御手段）、４…各種センサ群、５…画像読取部、６…画像データ記憶部、７…用紙搬送／画像形成部、８…通信Ｉ／Ｆ部、９…操作表示部、９ａ…タッチパネル
【図１】
2011160085.tif 000003
【図２】
2011160085.tif 000004
【図３】
2011160085.tif 000005